(57)【要約】      （修正有）【課題】回転できる展示キャビネットを提供する。【解決手段】装置主体、前記装置主体の中に設置されるロック装置、前記装置主体に設置される回転装置及び前記装置主体に設置されるアンチロック装置、前記ロック装置が前記装置主体に設置される第一中空筐体１２を含み、前記第一中空筐体の右側内壁に第一固定ブロック６６が固定設置され、前記第一固定ブロックの左側に第二固定ブロックが固定設置され、前記第二固定ブロックの上端にガラス板１４が滑り設置され、前記第二固定ブロックの下端にロックできるガラス板が滑り設置され、前記第一固定ブロックの上端且つ前記第一中空筐体に第一回転ブロック１５が回転し設置され、展示キャビネットにある品物をロックすることができ、展示中アンロックと三回の回転でロックを解除でき、展示キャビネットの安全性を高め、回転アンロックの方法で操作を便利にさせることができる。【選択図】図１
2020000821.tif 000002
【特許請求の範囲】
【請求項１】
展示キャビネットは、装置主体、前記装置主体の中に設置されるロック装置、前記装置主体に設置される回転装置及び前記装置主体に設置されるアンチロック装置、前記ロック装置が前記装置主体に設置される第一中空筐体を含み、前記第一中空筐体の右側内壁に第一固定ブロックが固定設置され、前記第一固定ブロックの左側に第二固定ブロックが固定設置され、前記第二固定ブロックの上端にガラス板が滑り設置され、前記第三固定ブロックの下端にロックできるガラス板が滑り設置され、前記第一固定ブロックの上端且つ前記第一中空筐体に第一回転ブロックが回転し設置され、前記第一回転ブロックの下端面の前記第一中空筐体の内壁に近づく側に第一マグネットが固定設置され、前記第二固定ブロックの中に第二中空筐体が設置され、前記第二中空筐体の上下内壁に軸受を通じて第一回転軸が回転し設置され、前記第二中空筐体の中に前記第一回転軸に設置される第一歯車が設置され、前記第一歯車が前記第一回転ブロックに噛み合い、前記第二中空筐体の下側且つ前記第二固定ブロックの中に開口の下向きの第三中空筐体が設置され、前記第三中空筐体の右側内壁の上側に開口の右向きの第四中空筐体が連通設置され、前記第三中空筐体の左側内壁に第五中空筐体が連通設置され、前記第三中空筐体の中に第一滑りブロックが設置され、前記第一滑りブロックの左端の上側に前記第五中空筐体の中に滑動できる滑りブロックが固定設置され、前記滑りブロックの上端と前記第五中空筐体の上側内壁の間に第一ばねが固定設置され、前記第一滑りブロックの左右端面に第二滑りブロックが固定設置され、前記第一滑りブロックの上端には前記第三中空筐体と前記第四中空筐体の中に移動できる金属ボールが設置され、前記第二固定ブロックの中に開口が右向きで前記第三中空筐体に連通する第六中空筐体が設置され、前記第六中空筐体の中に第二歯車が回転し設置され、前記第二歯車の中に前記第二滑りブロックに上下滑動できる第一溝が設置され、前記第二歯車の中に前記第二滑りブロックに相対して回転する第二溝が設置され、前記ロックガラス板の中に開口が上向きの第三溝が設置され、前記第一滑りブロックが前記第三溝に上下滑動でき、前記第一固定ブロックの中に開口の左向きの第七中空筐体が設置され、前記第七中空筐体と前記第六中空筐体の中に前記第二歯車に噛み合う第三歯車が設置され、前記第三歯車の下端に回転軸が固定接続され、且つ回転軸がそれぞれ軸受を通じて前記第七中空筐体の下側内壁に回転し係合接続され、前記第七中空筐体の中に前記第三歯車に噛み合う第四歯車が設置され、前記第四歯車の上端に第一巻き輪が固定接続され、前記第一巻き輪に引っ張り線が設置され、前記第一巻き輪の上端と前記第四歯車の下端に回転軸が固定接続され、且つ回転軸がそれぞれ軸受を通じて前記第七中空筐体の上下側内壁に回転し係合接続され、前記第七中空筐体の右側内壁に第八中空筐体が連通設置され、前記第八中空筐体の右側内壁に第九中空筐体が連通設置され、前記第九中空筐体の中に第二巻き輪が設置され、前記第二巻き輪が前記引っ張り線の右端に巻きつけ、前記第二巻き輪の上端に第五歯車が固定接続され、前記第五歯車の上端と前記第二巻き輪の下端に回転軸が固定接続され且つ回転軸がそれぞれ軸受を通じて前記第九中空筐体の上下側内壁に回転し係合接続され、前記第三滑りブロックの上端に第二マグネットが固定接続され、前記第九中空筐体の中に前記第五歯車に噛み合う第六歯車が設置され、前記第六歯車の上端に回転軸が固定接続され、且つ回転軸が軸受を通じて前記第三滑りブロックの下端面に回り接続され、前記第九中空筐体の右側内壁に第一回転筐体が連通設置され、前記第一回転筐体の中に前記第六歯車に噛み合う第七歯車が設置され、前記回転装置は前記装置主体に固定設置される電機を含み、前記電機の上端に第二回転軸が動力で係合接続され、前記第一中空筐体の下側内壁に第二回転ブロックが回転し設置され、前記第二回転ブロックと前記第一固定ブロックの間に第四固定ブロックが設置され、前記第四固定ブロックの上端が前記第一固定ブロックに固定接続され、且つ前記第四固定ブロックの下端と前記第二回転ブロックが接触しなく、前記第一回転ブロックと前記第一中空筐体の上側内壁の間に前記第四固定ブロックと同じの第五固定ブロックが設置され、前記第二回転軸の上端が前記第四固定ブロックに通り抜け、前記第一固定ブロックが前記第五固定ブロックに伸びて軸受を通じて前記第五固定ブロックに回転し係合接続され、前記第二回転軸の第一回転ブロックに対応する処に第八歯車が設置され、前記第八歯車と前記第一回転ブロックの間に第二回転筐体が設置され、前記第一固定ブロックの上端の前記第二回転筐体に対応する処に第三マグネットが固定設置され、前記第五固定ブロックの中に開口の下向きの第一開き筐体が設置され、前記第一開き筐体の前記第二回転軸に近づく側の内壁の上側に第四溝が連通設置され、前記第一開き筐体の中に第四滑りブロックが滑り設置され、前記第四滑りブロックが前記第八歯車と前記第一回転ブロックに噛み合うことができ、前記第一開き筐体の中に第三回転ブロックが回転し設置され、前記第三回転ブロックの前記第二回転軸に近づく側の端面に前記第四溝に回転する第五滑りブロックが固定接続され、前記第四滑りブロックの中に開口の上向きの第五溝が設置され、前記第三回転ブロックの下端に前記第五溝に伸びて且つ前記第五溝に上下滑動できる滑りロッドが固定設置され、前記第四滑りブロックの上端と前記第三回転ブロックの下端の間に第二ばねが固定接続され、前記第四固定ブロックの中に前記第五固定ブロックとの同じ構造が設置され、前記第四固定ブロックの中に第三回転筐体が設置され、前記第二回転ブロックの上端に前記第三回転筐体に回転でき且つ前記第七歯車が電機に近づく側の端面にある第四回転ブロックに固定接続され、アンチロック装置は前記第一回転ブロックに設置される開口が前記第二回転軸に向く第二開き筐体を含み、前記第二開き筐体の上側内壁に第三開き筐体が連通設置され、前記第二開き筐体の上側内壁に第三開き筐体が連通し設置され、前記第二開き筐体の前記第二回転軸から離れる側の内壁に開口の下向きの第四開き筐体が設置され、前記第二開き筐体の中に第五滑りブロックが滑り設置され、前記第五滑りブロックの左右両端に斜面構造が設置され、前記第五滑りブロックの上端に前記第三開き筐体に左右滑動できる第六滑りブロックが固定接続され、前記第六滑りブロックが前記第二回転軸から離れる一端と前記第三開き筐体の中の前記第二回転軸から離れる側の内壁の間に第三ばねが固定接続され、前記第四開筐体の中に第七滑りブロックが滑り設置され、前記第七滑りブロックの下端に第三マグネットが固定設置され、前記第七滑りブロックの中に第六溝が設置され、前記第六溝が前記第五滑りブロックの斜面構造と係合し、前記第七滑りブロックの上端と前記第四開き筐体の上側内壁の間に第四ばねが固定接続される。
【発明の詳細な説明】
【技術分野】
【０００１】
本発明は生活装置技術分野、具体的には、展示キャビネットに関する。
【背景技術】
【０００２】
生活の質の向上に伴い、人々が余暇で好きなアイテムを購入し自宅に置き、アイテムをよりよく楽しむために、適切な場所も重要であり、他人に触れたり破壊されたりしないように、現在の展示キャビネットのほとんどは鍵でロックされ、回転できなくて、鍵が失われやすくて安全性も低く、展示キャビネットは回転モードと回転できないモードの切り替えができ、それで十分に楽しめるため、簡単且つ有効な展示キャビネットを設計するのが確実に必要である。
【先行技術文献】
【特許文献】
【０００３】
【特許文献１】中国特許出願公開第103767405号明細書
【発明の概要】
【発明が解決しようとする課題】
【０００４】
本発明の目的は上記の背景技術に提出された問題を解決するための展示キャビネットを提供することにある。
【課題を解決するための手段】
【０００５】
本発明の展示キャビネットは、装置主体、前記装置主体の中に設置されるロック装置、前記装置主体に設置される回転装置及び前記装置主体に設置されるアンチロック装置、前記ロック装置が前記装置主体に設置される第一中空筐体を含み、前記第一中空筐体の右側内壁に第一固定ブロックが固定設置され、前記第一固定ブロックの左側に第二固定ブロックが固定設置され、前記第二固定ブロックの上端にガラス板が滑り設置され、前記第三固定ブロックの下端にロックできるガラス板が滑り設置され、前記第一固定ブロックの上端且つ前記第一中空筐体に第一回転ブロックが回転し設置され、前記第一回転ブロックの下端面の前記第一中空筐体の内壁に近づく側に第一マグネットが固定設置され、前記第二固定ブロックの中に第二中空筐体が設置され、前記第二中空筐体の上下内壁に軸受を通じて第一回転軸が回転し設置され、前記第二中空筐体の中に前記第一回転軸に設置される第一歯車が設置され、前記第一歯車が前記第一回転ブロックに噛み合い、前記第二中空筐体の下側且つ前記第二固定ブロックの中に開口の下向きの第三中空筐体が設置され、前記第三中空筐体の右側内壁の上側に開口の右向きの第四中空筐体が連通設置され、前記第三中空筐体の左側内壁に第五中空筐体が連通設置され、前記第三中空筐体の中に第一滑りブロックが設置され、前記第一滑りブロックの左端の上側に前記第五中空筐体の中に滑動できる滑りブロックが固定設置され、前記滑りブロックの上端と前記第五中空筐体の上側内壁の間に第一ばねが固定設置され、前記第一滑りブロックの左右端面に第二滑りブロックが固定設置され、前記第一滑りブロックの上端には前記第三中空筐体と前記第四中空筐体の中に移動できる金属ボールが設置され、前記第二固定ブロックの中に開口が右向きで前記第三中空筐体に連通する第六中空筐体が設置され、前記第六中空筐体の中に第二歯車が回転し設置され、前記第二歯車の中に前記第二滑りブロックに上下滑動できる第一溝が設置され、前記第二歯車の中に前記第二滑りブロックに相対して回転する第二溝が設置され、前記ロックガラス板の中に開口が上向きの第三溝が設置され、前記第一滑りブロックが前記第三溝に上下滑動でき、前記第一固定ブロックの中に開口の左向きの第七中空筐体が設置され、前記第七中空筐体と前記第六中空筐体の中に前記第二歯車に噛み合う第三歯車が設置され、前記第三歯車の下端に回転軸が固定接続され、且つ回転軸がそれぞれ軸受を通じて前記第七中空筐体の下側内壁に回転し係合接続され、前記第七中空筐体の中に前記第三歯車に噛み合う第四歯車が設置され、前記第四歯車の上端に第一巻き輪が固定接続され、前記第一巻き輪に引っ張り線が設置され、前記第一巻き輪の上端と前記第四歯車の下端に回転軸が固定接続され、且つ回転軸がそれぞれ軸受を通じて前記第七中空筐体の上下側内壁に回転し係合接続され、前記第七中空筐体の右側内壁に第八中空筐体が連通設置され、前記第八中空筐体の右側内壁に第九中空筐体が連通設置され、前記第九中空筐体の中に第二巻き輪が設置され、前記第二巻き輪が前記引っ張り線の右端に巻きつけ、前記第二巻き輪の上端に第五歯車が固定接続され、前記第五歯車の上端と前記第二巻き輪の下端に回転軸が固定接続され且つ回転軸がそれぞれ軸受を通じて前記第九中空筐体の上下側内壁に回転し係合接続され、前記第三滑りブロックの上端に第二マグネットが固定接続され、前記第九中空筐体の中に前記第五歯車に噛み合う第六歯車が設置され、前記第六歯車の上端に回転軸が固定接続され、且つ回転軸が軸受を通じて前記第三滑りブロックの下端面に回り接続され、前記第九中空筐体の右側内壁に第一回転筐体が連通設置され、前記第一回転筐体の中に前記第六歯車に噛み合う第七歯車が設置される。
【０００６】
優選されたプランとして、前記回転装置は前記装置主体に固定設置される電機を含み、前記電機の上端に第二回転軸が動力で係合接続され、前記第一中空筐体の下側内壁に第二回転ブロックが回転し設置され、前記第二回転ブロックと前記第一固定ブロックの間に第四固定ブロックが設置され、前記第四固定ブロックの上端が前記第一固定ブロックに固定接続され、且つ前記第四固定ブロックの下端と前記第二回転ブロックが接触しなく、前記第一回転ブロックと前記第一中空筐体の上側内壁の間に前記第四固定ブロックと同じの第五固定ブロックが設置され、前記第二回転軸の上端が前記第四固定ブロックに通り抜け、前記第一固定ブロックが前記第五固定ブロックに伸びて軸受を通じて前記第五固定ブロックに回転し係合接続され、前記第二回転軸の第一回転ブロックに対応する処に第八歯車が設置され、前記第八歯車と前記第一回転ブロックの間に第二回転筐体が設置され、前記第一固定ブロックの上端の前記第二回転筐体に対応する処に第三マグネットが固定設置され、前記第五固定ブロックの中に開口の下向きの第一開き筐体が設置され、前記第一開き筐体の前記第二回転軸に近づく側の内壁の上側に第四溝が連通設置され、前記第一開き筐体の中に第四滑りブロックが滑り設置され、前記第四滑りブロックが前記第八歯車と前記第一回転ブロックに噛み合うことができ、前記第一開き筐体の中に第三回転ブロックが回転し設置され、前記第三回転ブロックの前記第二回転軸に近づく側の端面に前記第四溝に回転する第五滑りブロックが固定接続され、前記第四滑りブロックの中に開口の上向きの第五溝が設置され、前記第三回転ブロックの下端に前記第五溝に伸びて且つ前記第五溝に上下滑動できる滑りロッドが固定設置され、前記第四滑りブロックの上端と前記第三回転ブロックの下端の間に第二ばねが固定接続され、前記第四固定ブロックの中に前記第五固定ブロックとの同じ構造が設置され、前記第四固定ブロックの中に第三回転筐体が設置され、前記第二回転ブロックの上端に前記第三回転筐体に回転でき且つ前記第七歯車の電機に近づく側の端面に位置する第四回転ブロックが固定接続される。
【０００７】
優選されたプランとして、アンチロック装置は前記第一回転ブロックに設置される開口が前記第二回転軸に向く第二開き筐体を含み、前記第二開き筐体の上側内壁に第三開き筐体が連通設置され、前記第二開き筐体の上側内壁に第三開き筐体が連通し設置され、前記第二開き筐体の前記第二回転軸から離れる側の内壁に開口の下向きの第四開き筐体が設置され、前記第二開き筐体の中に第五滑りブロックが滑り設置され、前記第五滑りブロックの左右両端に斜面構造が設置され、前記第五滑りブロックの上端に前記第三開き筐体に左右滑動できる第六滑りブロックが固定接続され、前記第六滑りブロックが前記第二回転軸から離れる一端と前記第三開き筐体の中の前記第二回転軸から離れる側の内壁の間に第三ばねが固定接続され、前記第四開筐体の中に第七滑りブロックが滑り設置され、前記第七滑りブロックの下端に第三マグネットが固定設置され、前記第七滑りブロックの中に第六溝が設置され、前記第六溝が前記第五滑りブロックの斜面構造と係合し、前記第七滑りブロックの上端と前記第四開き筐体の上側内壁の間に第四ばねが固定接続される。
【発明の効果】
【０００８】
本発明の有益効果は、本発明の構造が簡単で、操作も便利であり、本装置が起動される時、電機が起動され、第三マグネットが電気を得って、第四滑りブロックを下に吸引して第一回転ブロック及び第八歯車と係合させ、第二回転軸を回転駆動させ、第八歯車を回転駆動させ第四滑りブロックを回転駆動させ、滑りロッドを回転駆動させ、第三回転ブロックを回転駆動させ、第五滑りブロックを回転駆動させ、第四滑りブロックが第一回転ブロックを回転駆動させ、同時に第二回転ブロックと第一回転ブロックが同期に回転して、同時に第四滑りブロックが第五滑りブロックを第二回転軸から離れる方向に移動駆動させ、第五滑りブロックと第六溝が係合され、アンロックしようとする時、電機を停めて、第四滑りブロックが第二ばねの作用で上に移動し、第三ばねの作用で第六滑りブロックが第二回転軸に近づく方向に移動し、第五滑りブロックを第二回転軸に近づく方向に移動し、第五滑りブロックが第六溝から離れ、この時、第一歯車を適する位置に回転させ、第七滑りブロックが第三滑りブロックに重なって、第四ばねの作用で、第七滑りブロックが下に移動し、第三滑りブロックを下に移動駆動させ、この時第六歯車が第七歯車に噛み合い、この時、第二回転ブロックの左にある回転ブロックを回転して第二回転ブロックを回転駆動させ、第四回転ブロックを回転駆動させ、第七歯車を回転駆動させ、第六歯車を回転駆動させ、第五歯車を回転駆動させ、第三開き筐体を回転駆動させ、引っ張り線を纏わり駆動させ、第一巻き輪を回転駆動させ、第四歯車を回転駆動させ、第三歯車を回転駆動させ、第二歯車を回転駆動させ、この時第二滑りブロックが第一溝に重なるまで移動し、この時第一歯車を回転して、第一回転ブロックを回転駆動させ、第一マグネットを左に回転駆動させ、金属ボールを第一マグネットに近づけさせ、第一ばねが滑りブロックを上に移動駆動させ、第一滑りブロックを上に移動駆動させ、この時装置がアンロックされ、本装置の構造が簡単で、使用も便利であり、展示キャビネットにある品物をロックすることができ、展示中アンロックと三回の回転でロックを解除でき、展示キャビネットの安全性を高め、回転アンロックの方法で操作を便利にさせ、様々な場合で適して、お勧めする。
【図面の簡単な説明】
【０００９】
説明しやすいため、本発明は以下の具体的な実施例と付図を交え詳しく説明する。
【００１０】
【図１】本発明の展示キャビネットの内部構造模式図である。
【図２】図1のAの拡大模式図である。
【図３】図1のBの拡大模式図である。
【図４】図2の第二歯車53の仰視図である。
【図５】図3の第四滑りブロック80の俯瞰図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図1-5が示すように、本発明の展示キャビネットは、装置主体11、前記装置主体11の中に設置されるロック装置、前記装置主体11に設置される回転装置及び前記装置主体11に設置されるアンチロック装置、前記ロック装置が前記装置主体11に設置される第一中空筐体12を含み、前記第一中空筐体12の右側内壁に第一固定ブロック66が固定設置され、前記第一固定ブロック66の左側に第二固定ブロック58が固定設置され、前記第二固定ブロック58の上端にガラス板14が滑り設置され、前記第三固定ブロック58の下端にロックできるガラス板71が滑り設置され、前記第一固定ブロック66の上端且つ前記第一中空筐体12に第一回転ブロック15が回転し設置され、前記第一回転ブロック15の下端面の前記第一中空筐体12の内壁に近づく側に第一マグネット72が固定設置され、前記第二固定ブロック58の中に第二中空筐体59が設置され、前記第二中空筐体59の上下内壁に軸受を通じて第一回転軸61が回転し設置され、前記第二中空筐体59の中に前記第一回転軸61に設置される第一歯車60が設置され、前記第一歯車60が前記第一回転ブロック15に噛み合い、前記第二中空筐体59の下側且つ前記第二固定ブロック58の中に開口の下向きの第三中空筐体73が設置され、前記第三中空筐体73の右側内壁の上側に開口の右向きの第四中空筐体62が連通設置され、前記第三中空筐体73の左側内壁に第五中空筐体56が連通設置され、前記第三中空筐体73の中に第一滑りブロック51が設置され、前記第一滑りブロック51の左端の上側に前記第五中空筐体56の中に滑動できる滑りブロック55が固定設置され、前記滑りブロック55の上端と前記第五中空筐体56の上側内壁の間に第一ばね57が固定設置され、前記第一滑りブロック51の左右端面に第二滑りブロック52が固定設置され、前記第一滑りブロック51の上端には前記第三中空筐体73と前記第四中空筐体62の中に移動できる金属ボール49が設置され、前記第二固定ブロック58の中に開口が右向きで前記第三中空筐体73に連通する第六中空筐体54が設置され、前記第六中空筐体54の中に第二歯車53が回転し設置され、前記第二歯車53の中に前記第二滑りブロック52に上下滑動できる第一溝65が設置され、前記第二歯車53の中に前記第二滑りブロック52に相対して回転する第二溝74が設置され、前記ロックガラス板71の中に開口が上向きの第三溝50が設置され、前記第一滑りブロック51が前記第三溝50に上下滑動でき、前記第一固定ブロック66の中に開口の左向きの第七中空筐体47が設置され、前記第七中空筐体47と前記第六中空筐体54の中に前記第二歯車53に噛み合う第三歯車48が設置され、前記第三歯車48の下端に回転軸が固定接続され、且つ回転軸がそれぞれ軸受を通じて前記第七中空筐体47の下側内壁に回転し係合接続され、前記第七中空筐体47の中に前記第三歯車48に噛み合う第四歯車46が設置され、前記第四歯車46の上端に第一巻き輪64が固定接続され、前記第一巻き輪64に引っ張り線44が設置され、前記第一巻き輪64の上端と前記第四歯車46の下端に回転軸が固定接続され、且つ回転軸がそれぞれ軸受を通じて前記第七中空筐体47の上下側内壁に回転し係合接続され、前記第七中空筐体47の右側内壁に第八中空筐体45が連通設置され、前記第八中空筐体45の右側内壁に第九中空筐体26が連通設置され、前記第九中空筐体26の中に第二巻き輪27が設置され、前記第二巻き輪27が前記引っ張り線44の右端に巻きつけ、前記第二巻き輪27の上端に第五歯車25が固定接続され、前記第五歯車25の上端と前記第二巻き輪27の下端に回転軸が固定接続され且つ回転軸がそれぞれ軸受を通じて前記第九中空筐体26の上下側内壁に回転し係合接続され、前記第三滑りブロック34の上端に第二マグネット33が固定接続され、前記第九中空筐体26の中に前記第五歯車25に噛み合う第六歯車28が設置され、前記第六歯車28の上端に回転軸が固定接続され、且つ回転軸が軸受を通じて前記第三滑りブロック34の下端面に回り接続され、前記第九中空筐体26の右側内壁に第一回転筐体76が連通設置され、前記第一回転筐体76の中に前記第六歯車28に噛み合う第七歯車32が設置される。
【００１４】
有益的には、前記回転装置は前記装置主体11に固定設置される電機18を含み、前記電機18の上端に第二回転軸17が動力で係合接続され、前記第一中空筐体12の下側内壁に第二回転ブロック16が回転し設置され、前記第二回転ブロック16と前記第一固定ブロック66の間に第四固定ブロック67が設置され、前記第四固定ブロック67の上端が前記第一固定ブロック66に固定接続され、且つ前記第四固定ブロック67の下端と前記第二回転ブロック16が接触しなく、前記第一回転ブロック15と前記第一中空筐体の上側内壁の間に前記第四固定ブロック67と同じの第五固定ブロック13が設置され、前記第二回転軸17の上端が前記第四固定ブロック67に通り抜け、前記第一固定ブロック66が前記第五固定ブロック13に伸びて軸受を通じて前記第五固定ブロック13に回転し係合接続され、前記第二回転軸17の第一回転ブロック15に対応する処に第八歯車23が設置され、前記第八歯車23と前記第一回転ブロック15の間に第二回転筐体22が設置され、前記第一固定ブロック66の上端の前記第二回転筐体22に対応する処に第三マグネット24が固定設置され、前記第五固定ブロック13の中に開口の下向きの第一開き筐体20が設置され、前記第一開き筐体20の前記第二回転軸17に近づく側の内壁の上側に第四溝81が連通設置され、前記第一開き筐体20の中に第四滑りブロック80が滑り設置され、前記第四滑りブロック80が前記第八歯車23と前記第一回転ブロック15に噛み合うことができ、前記第一開き筐体20の中に第三回転ブロック78が回転し設置され、前記第三回転ブロック78の前記第二回転軸17に近づく側の端面に前記第四溝81に回転する第五滑りブロック79が固定接続され、前記第四滑りブロック80の中に開口の上向きの第五溝77が設置され、前記第三回転ブロック78の下端に前記第五溝77に伸びて且つ前記第五溝77に上下滑動できる滑りロッド21が固定設置され、前記第四滑りブロック80の上端と前記第三回転ブロック78の下端の間に第二ばね19が固定接続され、前記第四固定ブロック67の中に前記第五固定ブロック13との同じ構造が設置され、前記第四固定ブロック67の中に第三回転筐体29が設置され、前記第二回転ブロック16の上端に前記第三回転筐体29に回転でき且つ前記第七歯車32の電機18に近づく側の端面に位置する第四回転ブロック30が固定接続される。
【００１５】
有益的には、アンチロック装置は前記第一回転ブロック15に設置される開口が前記第二回転軸17に向く第二開き筐体42を含み、前記第二開き筐体42の上側内壁に第三開き筐体37が連通設置され、前記第二開き筐体42の上側内壁に第三開き筐体37が連通し設置され、前記第二開き筐体42の前記第二回転軸17から離れる側の内壁に開口の下向きの第四開き筐体39が設置され、前記第二開き筐体42の中に第五滑りブロック43が滑り設置され、前記第五滑りブロック43の左右両端に斜面構造が設置され、前記第五滑りブロック43の上端に前記第三開き筐体37に左右滑動できる第六滑りブロック36が固定接続され、前記第六滑りブロック36が前記第二回転軸17から離れる一端と前記第三開き筐体27の中の前記第二回転軸17から離れる側の内壁の間に第三ばね35が固定接続され、前記第四開筐体39の中に第七滑りブロック40が滑り設置され、前記第七滑りブロック40の下端に第三マグネット41が固定設置され、前記第七滑りブロック40の中に第六溝82が設置され、前記第六溝82が前記第五滑りブロック43の斜面構造と係合し、前記第七滑りブロック40の上端と前記第四開き筐体39の上側内壁の間に第四ばね38が固定接続される。
【００１６】
有益的には、前記固定装置は前記装置主体11の左右側端面の下側に設置される第六固定ブロック90を含み、前記第六固定ブロック９０の中に上下貫通するスルーホール91が設置され、前記固定装置が本装置を固定して作業を安定させる。
【００１７】
初期状態では、第四滑りブロック80が上極限位置にあり、金属ボール49が第一滑りブロック51を下に極限位置まで押して、第六歯車28が上極限位置にあり、第五滑りブロック43が左極限位置にあり、第二歯車53が第一溝65とずらされる。
【００１８】
本装置が起動される時、電機18が起動され、第三マグネット24が電気を得って、第四滑りブロック80を下に吸引して第一回転ブロック15及び第八歯車23と係合させ、第二回転軸17を回転駆動させ、第八歯車23を回転駆動させ第四滑りブロック80を回転駆動させ、滑りロッド21を回転駆動させ、第三回転ブロック78を回転駆動させ、第五滑りブロック79を回転駆動させ、第四滑りブロック80が第一回転ブロック15を回転駆動させ、同時に第二回転ブロック16と第一回転ブロック15が同期に回転して、同時に第四滑りブロック80が第五滑りブロック43を第二回転軸17から離れる方向に移動駆動させ、第五滑りブロック43と第六溝82が係合され、アンロックしようとする時、電機18を停めて、第四滑りブロック80が第二ばね19の作用で上に移動し、第三ばね35の作用で第六滑りブロック26が第二回転軸17に近づく方向に移動し、第五滑りブロック43を第二回転軸17に近づく方向に移動し、第五滑りブロック43が第六溝82から離れ、この時、第一歯車60を適する位置に回転させ、第七滑りブロック40が第三滑りブロック34に重なって、第四ばね38の作用で、第七滑りブロック40が下に移動し、第三滑りブロック34を下に移動駆動させ、この時第六歯車28が第七歯車32に噛み合い、この時、第二回転ブロック16の左にある回転ブロックを回転して第二回転ブロック16を回転駆動させ、第四回転ブロック30を回転駆動させ、第七歯車32を回転駆動させ、第六歯車28を回転駆動させ、第五歯車25を回転駆動させ、第三開き筐体27を回転駆動させ、引っ張り線44を纏わり駆動させ、第一巻き輪64を回転駆動させ、第四歯車46を回転駆動させ、第三歯車48を回転駆動させ、第二歯車53を回転駆動させ、この時第二滑りブロック52が第一溝65に重なるまで移動し、この時第一歯車60を回転して、第一回転ブロック15を回転駆動させ、第一マグネット72を左に回転駆動させ、金属ボール49を第一マグネット72に近づけさせ、第一ばね57が滑りブロック55を上に移動駆動させ、第一滑りブロック51を上に移動駆動させ、この時装置がアンロックされる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020000821.tif 000003
【図２】
2020000821.tif 000004
【図３】
2020000821.tif 000005
【図４】
2020000821.tif 000006
【図５】
2020000821.tif 000007